(57)【要約】【課題】製造コストを低減でき、かつ、患者の手に対する装着を簡単に行うことが可能な拘束用手袋を提供する。【解決手段】一端１１が開口して他端１２が閉口している袋形状を成し、患者の指先から少なくとも手首までを収容するための第１の収容部１０と、第１の収容部１０の外側、かつ、第１の収容部１０における他端１２から一端１１に向かう途中までの一部領域１３に対応する位置に形成され、第１の収容部１０に収容された患者の手に把持させる把持物２を収容するための第２の収容部２０とを備え、第１の収容部１０の一部領域１３の外面１４が第２の収容部２０の内面２４となるように構成することにより、構成をシンプルにすることができるようにするとともに、第１の収容部１０に患者の手を収容し、第２の収容部２０に把持物２を収容するだけで、拘束用手袋１を患者の手に装着させることができるようにする。【選択図】図１
2020190049.tif 000002
【特許請求の範囲】
【請求項１】
患者の手に装着して患者の手の動きを拘束する拘束用手袋であって、
一端が開口して他端が閉口している袋形状を成し、上記患者の指先から少なくとも手首までを収容するための第１の収容部と、
上記第１の収容部の外側、かつ、上記第１の収容部における上記他端から上記一端に向かう途中までの一部領域に対応する位置に形成され、上記第１の収容部に収容された患者の手に把持させる把持物を収容するための第２の収容部とを備え、
上記第１の収容部の上記一部領域の外面が上記第２の収容部の内面となるように構成されていることを特徴とする拘束用手袋。
【請求項２】
上記第１の収容部における上記一部領域の外縁と、上記第２の収容部における外縁とが対向するように構成されていることを特徴とする請求項１に記載の拘束用手袋。
【請求項３】
上記第２の収容部は、上記第１の収容部の外側において、上記一部領域の形状に対応するように形成された生地が上記外縁に沿って縫着されて成ることを特徴とする請求項２に記載の拘束用手袋。
【請求項４】
上記第１の収容部は、患者の５本の指が分かれて収まる複数の分割収容部を備えることを特徴とする請求項１〜３の何れか１項に記載の拘束用手袋。
【請求項５】
上記分割収容部は２つまたは３つであることを特徴とする請求項４に記載の拘束用手袋。
【発明の詳細な説明】
【技術分野】
【０００１】
本発明は、拘束用手袋に関し、特に、患者の手の動きを拘束して患者が物を自由に掴むことができないようにするための手袋に用いて好適なものである。
【背景技術】
【０００２】
従来、病院や介護施設などの医療・福祉現場において、患者または被介護者（以下、単に「患者」と言う）が、点滴や透析、栄養補給、排泄等などの最中に体に繋がれているチューブやカテーテルを勝手に外そうとしたり、皮膚の痒いところを掻きむしったりするという問題がある。そこで、患者がいたずらにチューブ等を外したり身体を掻きむしったりすることができないように、患者の手に取り付ける拘束用手袋を用いることがある。
【０００３】
この拘束用手袋は、比較的大型の手袋の内部空間に患者の手を入れて、患者が手袋の外にある物を自由に握ったり触ったりする動作を物理的にできないようにするものである。従来、この種の拘束用手袋は種々開発されており、様々な形態のものが知られている（例えば、特許文献１〜３参照）。
【０００４】
特許文献１に記載の拘束用手袋は、通気性に富んだネット地を用いて、親指と残りの四本の指とに分れるように二股に縫製した手袋に、四本の指の裏側に当接する位置に握りバーを内装し、当該握りバーの両端を手袋に固定している。これにより、患者が何か物を掴もうとしても握りバーが邪魔になって殆ど不可能となり、握りバーに邪魔されて指が自由にならず、直に爪を立てて皮膚を掻きむしることが防止される。
【０００５】
特許文献２に記載の拘束用手袋は、五本指をそれぞれ個別に挿入するようになされた手袋の手のひら側の全体に、タオル地のような柔らかい物質を縫合して固定することにより、患者が手袋を装着したときに手のひらで既に何かを掴んでいるように把握させる構成としている。これにより、手袋を装着した患者が手で物を掴んだり、折り曲げた手で物を引っ掛けたりすることが防止される。
【０００６】
特許文献３に記載の拘束用手袋は、略手掌の形状を有し、患者の手を保護するミトンカバー部と、ミトンカバー部内にあって患者の手の挿入方向と略直交する方向に配置された略楕円柱形状の掴み部と、ミトンカバー部の手首側に連続一体に形成されて手袋を患者の手首に固定するためのテープ部とを備える。この構成により、手袋の装着時には患者が点滴チューブなどの物を掴むことができないようにすることができる。
【先行技術文献】
【特許文献】
【０００７】
【特許文献１】特開２００１−７３２０９号公報
【特許文献２】特開２００７−１１９９８５号公報
【特許文献３】特許第６３６６８６８号公報
【発明の概要】
【発明が解決しようとする課題】
【０００８】
しかしながら、上記特許文献１に記載の拘束用手袋は、手袋の内部に握りバーを固定させた構成であるため、構成が複雑で、製造コストが高くなるという問題があった。また、上記特許文献２に記載の拘束用手袋は、手袋の手のひら側にタオル地のような物を固定させた構成であるため、これも製造コストが高くなるという問題があった。
【０００９】
これに対し、特許文献３に記載の拘束用手袋の場合、ミトンカバー部の中に挿入する略楕円柱形状の掴み部は、ミトンカバー部に固定されていない別体であるため、ミトンカバー部自体の構成は複雑ではない。しかしながら、ミトンカバー部の中に入れた手の動きを拘束するために、掴み部をある程度大きくする必要がある。そして、大きくした掴み部をミトンカバー部の中に挿入できるようにするために、ミトンカバー部を２つ折りの構造とし、使用時にファスナー部を移動させて上側カバーと下側カバーとを縫合するようにしている。このようなファスナー部を必要とするため、特許文献３に記載の拘束用手袋も製造コストが高くなるという問題があった。
【００１０】
また、特許文献３に記載の拘束用手袋では、これを患者の手に装着する手順が多く煩雑であり、看護師の手間が多くかかるという問題もあった。すなわち、特許文献３に記載の拘束用手袋では、最初に空気栓からミトンカバー部に空気を充填し、次に患者の手の平側を下側カバーに置いて患者に掴み部を握らせ、さらに、上側カバーを患者の手の甲に被せて手袋を２つ折りにする。その後、ファスナー部を移動させて上側カバーおよび下側カバーを縫合し、最後に、ファスナー部の留め具をテープ部の帯状体の内部に収容するようにテープ部を係合して、手袋を患者の手に固定する。特許文献３の拘束用手袋はこのように煩雑な手順によって患者の手に装着する必要があり、看護師の業務効率が低下する要因となる。
【００１１】
本発明は、このような問題を解決するために成されたものであり、製造コストを低減でき、かつ、患者の手に対する装着を簡単に行うことが可能な拘束用手袋を提供することを目的とする。
【課題を解決するための手段】
【００１２】
上記した課題を解決するために、本発明の拘束用手袋は、一端が開口して他端が閉口している袋形状を成し、患者の指先から少なくとも手首までを収容するための第１の収容部と、当該第１の収容部の外側、かつ、第１の収容部における他端から一端に向かう途中までの一部領域に対応する位置に形成され、第１の収容部に収容された患者の手に把持させる把持物を収容するための第２の収容部とを備え、第１の収容部の一部領域の外面が第２の収容部の内面となるように構成している。
【発明の効果】
【００１３】
上記のように構成した本発明の拘束用手袋は、患者の手を収容するための第１の収容部の外側に、把持物を収容するための第２の収容部を備えるだけの構成であるため、構成がシンプルで、製造コストを低減することができる。また、本発明の拘束用手袋を使用するときは、第１の収容部に患者の手を収容し、第２の収容部に把持物を収容するだけでよいので、患者の手に対する装着を簡単に行うこともできる。
【図面の簡単な説明】
【００１４】
【図１】本実施形態による拘束用手袋の構成例を示す図である。
【図２】第２の収容部に把持物を収容した状態を示す図である。
【図３】第２の収容部に把持物を収容した状態で、さらに第１の収容部に患者の手を収容した状態を示す図である。
【発明を実施するための形態】
【００１５】
以下、本発明の一実施形態を図面に基づいて説明する。図１は、本実施形態による拘束用手袋１の構成例を示す図であり、（ａ）は正面図、（ｂ）は背面図、（ｃ）は側面図、（ｄ）は底面図を示している。また、図１（ｅ）は、本実施形態の拘束用手袋１を装着する患者の手に把持させる把持物２の構成例を示している。以下では説明の便宜上、患者の手の挿入方向（拘束用手袋１の長さ方向）をＸ軸方向とし、それに直交する拘束用手袋１の幅方向をＹ軸方向、拘束用手袋１の厚み方向をＺ軸方向とする。
【００１６】
本実施形態の拘束用手袋１は、患者の手に装着して患者の手の動きを拘束するための手袋である。患者の手の動きを拘束するとは、患者が物を自由に掴んだり、患者が指先で皮膚の痒いところを掻きむしったりすることができないようにするために、患者の手を手袋で覆って固定することにより、手首から先の部分を自由には動かせないようにすることをいう。
【００１７】
図１に示すように、本実施形態の拘束用手袋１は、患者の指先から少なくとも手首までを収容するための第１の収容部１０と、第１の収容部１０に収容された患者の手に把持させる把持物２を収容するための第２の収容部２０と、第１の収容部１０を患者の手に固定するための固定バンド３０とを備えて構成される。
【００１８】
第１の収容部１０は、長さ方向（Ｘ軸方向）の一端１１が開口し、他端１２が閉口している袋形状を成している。図１（ｄ）に示すように、第１の収容部１０の一端１１には開口部１１ａが形成されており、この開口部１１ａから第１の収容部１０の中に患者の手を入れることができるようになっている。
【００１９】
第１の収容部１０は、幅方向（Ｙ軸方向）に左右対称の形状となっている。また、第１の収容部１０は、正面側および背面側から見て、他端１２が円弧状に形成されており、円弧の両端部と一端１１とをつなぐ両側面部が略直線状またはなだらかな曲線状に形成されている。本実施形態では、この側面部をなだらかな曲線状に形成し、かつ、一端１１に近い部分で末広がりとなるような形状としている。これにより、第１の収容部１０の内部空間のうち、手首より先の部分が収まる内部空間は比較的狭く、開口部１１ａに近い側の内部空間は比較的広くなり、開口部１１ａから手を挿入しやすくしつつ、手首より先の部分の動きを拘束しやすい構成としている。
【００２０】
拘束用手袋１は、例えば、成人男性、成人女性、子供といった患者のタイプごとに大きさが異なるものが用意される。各タイプの拘束用手袋１における第１の収容部１０の大きさは、それぞれのタイプごとに標準的な手の大きさを想定し、その想定した標準的な大きさの手を収容可能で、かつ、特に他端１２に近い方（後述する一部領域１３の辺り）は手首より先の部分が比較的隙間なく収容されるような大きさに構成されている。
【００２１】
第１の収容部１０は、この中に患者の手を長い時間入れていても、発汗等による蒸れができるだけ生じないようにするために、通気性の良い素材または速乾性のある素材で構成されている。第１の収容部１０はまた、患者の手が接触しても痛みを与えないようにするため、また、想定した標準的な大きさよりも大きい手も収容できるようにするために、柔軟性および伸縮性のある素材により構成されている。通気性が良いまたは速乾性があり、柔軟性および伸縮性のある素材として、例えばメッシュ生地を用いることが可能である。
【００２２】
第２の収容部２０は、第１の収容部１０の外側（Ｚ軸方向の正面側）、かつ、第１の収容部１０における他端１２から一端１１に向かう途中までの一部領域１３に対応する位置に形成されている。第１の収容部１０の一部領域１３は、他端１２から一端１１に向かって所定長さの位置に仮に設定されるＹ軸方向の直線状の境界線よりも他端１２側の全領域である。
【００２３】
第２の収容部２０も、長さ方向（Ｘ軸方向）の一端２１が開口し、他端２２が閉口している袋形状を成している。図１（ｄ）に示すように、第２の収容部２０の一端２１には開口部２１ａが形成されており、この開口部２１ａから第２の収容部２０の中に把持物２を入れることができるようになっている。この開口部２１ａが形成される第２の収容部２０の一端２１の位置が、第１の収容部１０の一部領域１３の境界線の位置と一致する。
【００２４】
第１の収容部１０の一部領域１３の境界線の位置、つまり第２の収容部２０の開口部２１ａの位置は、第２の収容部２０に収容される把持物２の大きさに応じて設定される。すなわち、第２の収容部２０に把持物２の全体が収容されるように、境界線の位置が設定される。これは、把持物２の全体が収容されるような大きさに第２の収容部２０が形成されることを意味する。
【００２５】
第２の収容部２０が第１の収容部１０の一部領域１３に対応する位置に形成されるというのは、図１（ａ）に示すように、第１の収容部１０における一部領域１３の外縁と、第２の収容部２０における外縁とが対向するように構成されるということである。具体的には、第２の収容部２０は、第１の収容部１０の外側（正面側）において、一部領域１３の形状に対応するように形成された生地が外縁（開口部２１ａがあるところ以外の部分）に沿って縫着されて成る。図１（ａ）および（ｂ）に示す点線２３は、糸によって縫着された縫着部位を示している。
【００２６】
第２の収容部２０の生地が一部領域１３の形状に対応するように形成されるとは、一部領域１３の形状と生地の形状とが完全に一致する場合に限らず、生地の形状が一部領域１３の形状に類似する場合を含む。例えば、一部領域１３よりも第２の収容部２０の生地の方が若干大きく構成されていて、生地の外縁（開口部２１ａになるところを除く）を一部領域１３の外縁に縫着すると生地に弛みが生じるような場合も含まれる。
【００２７】
以上のように、第１の収容部１０の外側（正面側）において、一部領域１３の形状に対応するように形成された生地を縫着することによって第２の収容部２０を形成することにより、図１（ｄ）に示すように、第１の収容部１０の一部領域１３の正面側の外面１４が、第２の収容部２０の背面側の内面２４となる。つまり、第１の収容部１０の一部領域１３の外面１４と、第２の収容部２０の内面２４とは同じ面であり、この同じ面で第１の収容部１０の一部領域１３の外面１４と第２の収容部２０の内面２４とを形成している。以下、これを共有面１４，２４という。
【００２８】
一部領域１３の形状に対応するように形成された第２の収容部２０の生地は、第１の収容部１０と同じメッシュ生地により構成されている。なお、第２の収容部２０の中には把持物２が収容され、患者の手は収容されないので、必ずしも通気性の良い素材または速乾性のある素材でなくてもよい。ただし、第２の収容部２０の内部空間を広げて把持物２を収容できるようにするために、第２の収容部２０の素材として柔軟性および伸縮性は必要である。なお、第２の収容部２０の素材として、第１の収容部１０よりも柔軟性および伸縮性が強い素材を用いるようにしてもよい。
【００２９】
図１（ｂ）に示すように、第１の収容部１０は、患者の５本の指が分かれて収まる複数の分割収容部１５，１６を備えている。複数の分割収容部１５，１６を設けることにより、それぞれの分割収容部１５，１６の大きさは、第１の収容部１０を複数の領域に分割しない場合に比べて狭くなる。これにより、患者の指をより狭い領域に収容することになるので、指を動かすことのできる自由度を下げることができ、患者の手の動きをより効果的に拘束することができる。
【００３０】
本実施形態では、第１の収容部１０の他端１２における幅方向の略中央位置から一端１１側に向かって、Ｘ軸方向に平行な１本の直線状に、第１の収容部１０における正面側の面と背面側の面とを糸によって縫着する。これにより、第１の収容部１０の他端１２から一端１１側に向かって所定範囲の領域を左右２つの分割収容部１５，１６に分けている。点線１７は、糸によって縫着された縫着部位を示している。
【００３１】
第１の収容部１０において分割収容部１５，１６が形成される領域は、患者の各タイプに合わせた大きさに形成される拘束用手袋１ごとに、患者のタイプに応じた標準的な指の長さを想定し、その想定した標準的な長さの指の全体がだいたい収まるような大きさに構成される。このため、分割収容部１５，１６が形成される領域は、第２の収容部２０に対応する一部領域１３よりは狭い領域となる。
【００３２】
第１の収容部１０は、幅方向の略中央位置を境界として左右対称の形状をしており、この略中央位置を境界として左右に分割収容部１５，１６を設けることにより、２つの分割収容部１５，１６は同じ大きさとなる。ここで、一方の分割収容部２５に親指と人差し指とを収容し、他方の分割収容部２６に中指と薬指と小指とを収容する。２つの分割収容部１５，１６が同じ大きさなので、拘束用手袋１を患者の右手および左手のどちらにも使うことができる。このため、右手用の拘束用手袋１と左手用の拘束用手袋１とを別に構成する必要がないというメリットを有する。
【００３３】
なお、ここでは２つの分割収容部１５，１６を設ける構成を示したが、３つの分割収容部を設ける構成としてもよい。この場合は、例えば、幅方向における一端側の第１の分割収容部に親指と人差し指とを収容し、他端側の第２の分割収容部に薬指と小指とを収容し、真ん中の第３の分割収容部に中指を収容する。なお、一端側の第１の分割収容部に親指を収容し、他端側の第２の分割収容部に小指を収容し、真ん中の第３の分割収容部に人差し指と中指と薬指とを収容する構成としてもよい。
【００３４】
固定バンド３０は、第１の収容部１０の外側（正面側）、かつ、第２の収容部２０よりも一端１１に近い位置に取り付けられている。例えば、固定バンド３０は第１の収容部１０に縫着される。点線３３は、糸によって縫着された縫着部位を示している。なお、固定バンド３０の取付方法は縫着に限らない。例えば、固定バンド３０を第１の収容部１０に接着剤により接着させるようにしてもよいし、面ファスナーにより接着させるようにしてもよい。
【００３５】
固定バンド３０は、第１の収容部１０に患者の手を入れた状態で、患者の手が第１の収容部１０から抜けないようにするために、第１の収容部１０を患者の手に固定するために使用するものである。固定バンド３０は帯状に構成されており、これを使って第１の収容部１０を患者の手に縛り付ける。このため、固定バンド３０は、通気性の良い素材や速乾性のある素材である必要はなく、少なくとも柔軟性を有する素材であればよい。
【００３６】
なお、本実施形態では、固定バンド３０を第１の収容部１０の正面側に取り付けているが、背面側に取り付けるようにしてもよい。また、固定バンド３０を第１の収容部１０には取り付けず、拘束用手袋１と固定バンド３０とを別体として構成するようにしてもよい。ただし、別体として構成する場合は、患者が拘束用手袋１を使用している間に固定バンド３０が位置ずれを起こし、固定バンド３０が拘束用手袋１から外れてしまう可能性もある。これを防ぐためには、固定バンド３０をきつく縛る必要があり、患者に不快感や苦痛を与える恐れがある。よって、固定バンド３０は拘束用手袋１に取り付ける構成とするのが好ましい。
【００３７】
図１（ｅ）に示すように、把持物２は、円柱体により構成されている。この把持物２は、患者の手のひらと指の略全体で側面の一部（半分程度）を覆うことができる程の半径Ｒに構成されている。また、円柱体の高さＨ（図１（ｅ）のように把持物２を横に寝かせた場合のＹ軸方向の長さ）は、標準的な手の大きさの５本指が全て乗るような寸法に構成されている。この円柱体の高さＨは、第２の収容部２０の開口部２１ａの幅より若干短い程度である。
【００３８】
把持物２の形状は、角柱体でもよいが、円柱体とすることにより、患者が手を脱力したときに自然にできる手の形態と近い形状となり、把持物２を把持した状態で長時間使用しても患者が疲れにくくなるようにすることができる。把持物２を球にしてもよいが、把持物２の上に手を乗せたときに、両端の親指や小指を動かすことのできる余裕が円柱体よりは大きくなるため、患者の手の動きをより効果的に拘束するという観点から円柱体とするのが好ましい。なお、把持物２の材質は特に限定しないが、例えばクッション性のあるスポンジを用いることが可能である。
【００３９】
図２は、第２の収容部２０に把持物２を収容した状態を示す図である。図２に示すように、把持物２の高さ方向が第２の収容部２０の幅方向を向くような姿勢にして把持物２を第２の収容部２０に収容する。第２の収容部２０に把持物２を入れるときは、開口部２１ａをＺ軸方向に広げて挿入する。把持物２を挿入し終えると、伸ばされていた第２の収容部２０の生地が元の形状に縮もうとする復元力を把持物２が受けることにより、第２の収容部２０の中において把持物２が安定的に保持される。
【００４０】
図２（ａ）に示すように、把持物２は、第２の収容部２０の一端２１である開口部２１ａに近い領域に収容され、円弧状となっている第２の収容部２０の他端２２に近い領域には届かない。なお、第１の収容部１０および第２の収容部２０の他端１２，２２を円弧状とはせず、矩形状とすれば、第２の収容部２０の他端２２に近い領域まで把持物２を押し込んで収容することが可能である。
【００４１】
図３は、第２の収容部２０に把持物２を収容した状態で、さらに第１の収容部１０に患者の手を収容した状態を示す図であり、特に図３（ｂ）および図３（ｃ）は、固定バンド３０で拘束用手袋１を縛り付けた状態を示す図である。図３（ａ）は拘束用手袋１を側方から見た状態を示し、第１の収容部１０に収容された患者の手と、第２の収容部２０に収容された把持物２とを含めて図示している。なお、固定バンド３０については便宜上図示を省略している。図３（ｂ）は拘束用手袋１を正面側から見た状態を示し、図３（ｃ）は拘束用手袋１を背面側から見た状態を示しており、何れも拘束用手袋１の中の患者の手については図示を省略している。
【００４２】
図３（ａ）に示すように、第１の収容部１０に収容された患者の手は、第１の収容部１０と第２の収容部２０との共有面１４，２４を介して、第２の収容部２０に収容された把持物２を把持することになる。共有面１４，２４を介しているので、患者の手が把持物２を直接的に把持しているわけではなく、間接的に把持している状態である。また、把持していると言っても、患者の手が把持物２を完全に掴んでいる状態とは限らず、手のひらと指の略全体で把持物２の側面の一部を覆っている状態に近い。
【００４３】
患者の手首より先の大部分は、第１の収容部１０の一部領域１３における内部空間に収まる。そして、この一部領域１３に対応する位置に第２の収容部２０が形成されており、その第２の収容部２０の中に把持物２が収容されている。このため、把持物２に圧迫されるようにして、第１の収容部１０の一部領域１３における内部空間は狭くなり、手の甲が一部領域１３の背面側の内面に密着するとともに、手のひらが一部領域１３の正面側（共有面１４，２４側）の内面に密着するようになる。このとき、５本指は全て把持物２の上に乗った状態であり、かつ、５本指が２つの狭い分割収容部１５，１６に分けて収容されているので、指を動かせる余裕のあるスペースは殆どない状態となる。これにより、患者の手の動きを効果的に拘束することができる。
【００４４】
図３（ｂ）および（ｃ）に示すように、拘束用手袋１の中に患者の手を入れた後は、拘束用手袋１が脱げないように、固定バンド３０で第１の収容部１０を縛り付ける。なお、固定バンド３０の全長を長くすることにより、第１の収容部１０を縛った後も余りが出るようにし、その余った部分の固定バンド３０を患者のベッドの柵などに縛り付けるようにしてもよい。このようにすることにより、患者の手首より先の部分の動きを拘束用手袋１で拘束するだけでなく、手の全体的な動きを固定バンド３０によって拘束することが可能となる。
【００４５】
以上詳しく説明したように、本実施形態の拘束用手袋１は、長さ方向の一端１１が開口して他端１２が閉口している袋形状を成し、患者の指先から少なくとも手首までを収容するための第１の収容部１０と、当該第１の収容部１０の外側、かつ、第１の収容部１０における他端１２から一端１１に向かう途中までの一部領域１３に対応する位置に形成され、第１の収容部１０に収容された患者の手に把持させる把持物２を収容するための第２の収容部２０とを備え、第１の収容部１０の一部領域１３の外面１４が第２の収容部２０の内面２４となるように構成している。
【００４６】
このように構成した本実施形態の拘束用手袋１は、患者の手を収容するための第１の収容部１０の外側に、把持物２を収容するための第２の収容部２０を備えるだけの構成であるため、構成がシンプルで、製造コストを低減することができる。また、本実施形態の拘束用手袋１を使用するときは、第１の収容部１０に患者の手を収容し、第２の収容部２０に把持物２を収容するだけでよく、見開きにしたカバーの間に把持物と患者の手を置いた後にカバーを２つ折りにしてファスナーで締めるといった煩雑な手順を踏む必要がないので、患者の手に対する装着を簡単に行うこともできる。
【００４７】
なお、上記実施形態に示した形状は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４８】
１  拘束用手袋
２  把持物
１０  第１の収容部
１１ａ  開口部
１３  一部領域
１４  第１の収容部の一部領域の外面（共有面）
１５，１６  分割収容部
２０  第２の収容部
２１ａ  開口部
２４  第２の収容部の内面（共有面）
【図１】
2020190049.tif 000003
【図２】
2020190049.tif 000004
【図３】
2020190049.tif 000005